(57)【要約】【課題】複数のＶｏＩＰ端末が同時に通話を行った場合でも高音質なＶｏＩＰ通話を確保できるようにする無線ＬＡＮシステムにおけるＶｏＩＰ端末通話数制御方法を提供する。【解決手段】同一アクセスポイント配下のＶｏＩＰ通信数を限定し、アクセスポイントが通信を開始するＶｏＩＰの発信コマンドや着信コマンドを検出してＶｏＩＰ通信数を制御することにより、予め限定した通信数を超えるＶｏＩＰ通信を開始する際に無線ＬＡＮのＶｏＩＰ端末にDis-Associationパケットを送信する。【選択図】図３
2008005298.tif 000002
【特許請求の範囲】
【請求項１】
無線ＬＡＮシステムの一つのアクセスポイントで同時にＶｏＩＰ通話可能な最大数である限界閾値を限界閾値記憶手段に記憶し、
無線ＬＡＮに接続してＶｏＩＰ通信を行うＶｏＩＰ端末の数が前記限界閾値を超えた場合、無線ＬＡＮにアクセスした前記ＶｏＩＰ端末に対してアソシエーションの解放指示パケットを送信する各ステップを含むことを特徴とする無線ＬＡＮシステムにおけるＶｏＩＰ端末通話数制御方法。
【請求項２】
予め発信コマンド及び着信コマンドを発着信コマンド記憶手段に記憶し、
無線ＬＡＮに接続してＶｏＩＰ通信を行うＶｏＩＰ端末のＭＡＣアドレスをＭＡＣアドレス記憶手段に記憶し、
前記ＶｏＩＰ端末の送受信パケットを監視して、前記発着信コマンド記憶手段に記憶された発信コマンド及び着信コマンドと比較し、
比較の結果、そのパケットが前記発着信コマンド記憶手段に記憶された発信コマンド又は着信コマンドと一致した場合、そのパケットに含まれる前記ＶｏＩＰ端末のＭＡＣアドレスが、前記ＭＡＣアドレス記憶手段に存在するか否か確認し、
確認の結果、そのＭＡＣアドレスが前記ＭＡＣアドレス記憶手段に存在しない場合、そのパケットに含まれる前記ＶｏＩＰ端末のＭＡＣアドレスを前記ＭＡＣアドレス記憶手段に追加記憶し、
前記ＭＡＣアドレス記憶手段に記憶されたＭＡＣアドレスの数をＶｏＩＰ通話数として、予め前記限界閾値記憶手段に記憶された限界閾値を超えたか否か判定を行う各ステップを更に含み、
判定の結果、ＭＡＣアドレスの数が限界閾値を超えた場合、発信コマンドの送信又は着信コマンドの受信を行った前記ＶｏＩＰ端末に対してＩＥＥＥ８０２．１１で定められたDis-Associationパケットを送信し、
前記追加記憶したＭＡＣアドレスを前記ＭＡＣアドレス記憶手段から削除することを特徴とする請求項１に記載の無線ＬＡＮシステムにおけるＶｏＩＰ端末通話数制御方法。
【請求項３】
各ＶｏＩＰ端末のＭＡＣアドレスと関連付けられて通話ステータスを通話ステータス記憶手段に記憶し、
前記ＶｏＩＰ端末のＭＡＣアドレスが、前記ＭＡＣアドレス記憶手段に存在する場合、当該ＭＡＣアドレスに関連付けられている通話ステータスが「通話中」であるか否か確認し、
確認の結果、前記通話ステータスが「通話中」でない場合、そのパケットに含まれる前記ＶｏＩＰ端末のＭＡＣアドレスに対応する通話ステータスを「通話中」に変更する各ステップを更に含み、
前記通話ステータスが「通話中」であるＭＡＣアドレスの数をＶｏＩＰ通話数として、予め前記限界閾値記憶手段に記憶された限界閾値を超えたか否か判定を行うことを特徴とする請求項２に記載の無線ＬＡＮシステムにおけるＶｏＩＰ端末通話数制御方法。
【請求項４】
前記通話ステータス記憶手段に記憶された通話ステータスが「通話中」であるＭＡＣアドレスの数が、予め限界閾値記憶手段に記憶された限界閾値以上か否か判定し、
判定の結果、ＭＡＣアドレスの数が限界閾値以上の場合、前記通話ステータス記憶手段に記憶されているＭＡＣアドレスに関連付けられた通話ステータスが「通話終了」のＶｏＩＰ端末の無線ＬＡＮへの接続を拒否する各ステップを更に含むことを特徴とする請求項３に記載の無線ＬＡＮシステムにおけるＶｏＩＰ端末通話数制御方法。
【請求項５】
無線ＬＡＮシステムの一つのアクセスポイントで同時にＶｏＩＰ通話可能な最大数である限界閾値を記憶した限界閾値記憶手段と、
無線ＬＡＮに接続してＶｏＩＰ通信を行うＶｏＩＰ端末の数が前記限界閾値を超えた場合、無線ＬＡＮにアクセスした前記ＶｏＩＰ端末に対してアソシエーションの解放指示パケットを送信する手段と、を備えることを特徴とする無線ＬＡＮシステムにおけるＶｏＩＰ端末通話数制御装置。
【請求項６】
予め発信コマンド及び着信コマンドを記憶した発着信コマンド記憶手段と、
無線ＬＡＮに接続してＶｏＩＰ通信を行うＶｏＩＰ端末のＭＡＣアドレスを記憶するＭＡＣアドレス記憶手段と、
前記ＶｏＩＰ端末の送受信パケットを監視して、前記発着信コマンド記憶手段に記憶された発信コマンド及び着信コマンドと比較する手段と、
比較の結果、そのパケットが前記発着信コマンド記憶手段に記憶された発信コマンド又は着信コマンドと一致した場合、そのパケットに含まれる前記ＶｏＩＰ端末のＭＡＣアドレスが、前記ＭＡＣアドレス記憶手段に存在するか否か確認する手段と、
確認の結果、そのＭＡＣアドレスが前記ＭＡＣアドレス記憶手段に存在しない場合、そのパケットに含まれる前記ＶｏＩＰ端末のＭＡＣアドレスを前記ＭＡＣアドレス記憶手段に追加記憶する手段と、
前記ＭＡＣアドレス記憶手段に記憶されたＭＡＣアドレスの数をＶｏＩＰ通話数として、予め前記限界閾値記憶手段に記憶された限界閾値を超えたか否か判定する手段とを更に備え、
判定の結果、ＭＡＣアドレスの数が限界閾値を超えた場合、発信コマンドの送信又は着信コマンドの受信を行った前記ＶｏＩＰ端末に対してＩＥＥＥ８０２．１１で定められたDis-Associationパケットを送信し、
前記追加記憶したＭＡＣアドレスを前記ＭＡＣアドレス記憶手段から削除することを特徴とする請求項５に記載の無線ＬＡＮシステムにおけるＶｏＩＰ端末通話数制御装置。
【請求項７】
各ＶｏＩＰ端末のＭＡＣアドレスと関連付けられて通話ステータスを記憶する通話ステータス記憶手段と、
前記ＶｏＩＰ端末のＭＡＣアドレスが、前記ＭＡＣアドレス記憶手段に存在する場合、当該ＭＡＣアドレスに関連付けられている通話ステータスが「通話中」であるか否か確認する手段と、
確認の結果、前記通話ステータスが「通話中」でない場合、そのパケットに含まれる前記ＶｏＩＰ端末のＭＡＣアドレスに対応する通話ステータスを「通話中」に変更する手段と、を更に備え、
前記通話ステータスが「通話中」であるＭＡＣアドレスの数をＶｏＩＰ通話数として、予め前記限界閾値記憶手段に記憶された限界閾値を超えたか否か判定を行うことを特徴とする請求項６に記載の無線ＬＡＮシステムにおけるＶｏＩＰ端末通話数制御装置。
【請求項８】
前記通話ステータス記憶手段に記憶された通話ステータスが「通話中」であるＭＡＣアドレスの数が、予め限界閾値記憶手段に記憶された限界閾値以上か否か判定する手段と、
判定の結果、ＭＡＣアドレスの数が限界閾値以上の場合、前記通話ステータス記憶手段に記憶されているＭＡＣアドレスに関連付けられた通話ステータスが「通話終了」のＶｏＩＰ端末の無線ＬＡＮへの接続を拒否する手段と、を更に備えることを特徴とする請求項７に記載の無線ＬＡＮシステムにおけるＶｏＩＰ端末通話数制御装置。
【発明の詳細な説明】
【技術分野】
【０００１】
本発明は、無線ＬＡＮシステムにおいて複数のＶｏＩＰ端末が同時に通話を行った場合のＶｏＩＰ端末通話数制御方法に関する。
【背景技術】
【０００２】
近年、無線ＬＡＮの普及に伴って、無線ＬＡＮを介してＶｏＩＰ(Voice Over IP)通信などのリアルタイム通信を行う機会が増えている。
【０００３】
また、複数のクライアントコンピュータが１台のアクセスポイント装置を介してデータの無線通信を行う際に、アクセスポイント装置が、無線接続要求をしてきたクライアントコンピュータのＭＡＣアドレスを、内部メモリのＭＡＣアドレス登録用メモリ領域に登録して当該クライアントコンピュータの無線接続を可能とするとともに、ＭＡＣアドレス登録用メモリ領域へのクライアントコンピュータのＭＡＣアドレスの登録数を制限して、無線通信の通信性能を制御する無線ＬＡＮシステムがある（例えば、特許文献１参照）。
【特許文献１】特開２００３−１２４９３９号公報
【発明の開示】
【発明が解決しようとする課題】
【０００４】
しかしながら、従来の無線ＬＡＮシステムにおいて、ＶｏＩＰ通信などのリアルタイム通信では通信数が少ない場合には音声の途切れもなく高品質なＶｏＩＰ通信をできても、通信数が増えるに従って、無線ＬＡＮの通信帯域を圧迫し、パケットの再送回数が増え、パケットの遅延、廃棄が原因で音声の遅延や音切れなどが発生し、高品質のＶｏＩＰ通信を行うことが困難な場合があった。
【０００５】
そこで本発明は、無線ＬＡＮシステムにおいて複数のＶｏＩＰ端末が同時に通話を行った場合でもアクセスポイント(Access Point)がＶｏＩＰ端末の通話数を制御し、高音質なＶｏＩＰ通話を確保できるようにする無線ＬＡＮシステムにおけるＶｏＩＰ端末通話数制御方法および装置を提供することを目的とする。
【課題を解決するための手段】
【０００６】
上述の課題を解決するため、本発明は、同一アクセスポイント配下のＶｏＩＰ通信数を限定し、アクセスポイントが通信を開始するＶｏＩＰの発信コマンドや着信コマンドを検出してＶｏＩＰ通信数を制御することにより、予め限定した通信数を超えるＶｏＩＰ通信を開始する際に無線ＬＡＮのＶｏＩＰ端末にDis-Associationパケットを送信することを特徴とする。これによって、ＶｏＩＰ通信の音質を限定された数の端末に対して維持することが可能である。
【０００７】
また、本発明では、予め限定した通信数を超えた場合にＶｏＩＰ通話中以外のＶｏＩＰ端末にDis-Associationを送信することによって新たなＶｏＩＰ通話を発生させないので、ＶｏＩＰ通信の音質を限定された数の端末に対して維持することが可能である。この場合、通話中以外のＶｏＩＰ端末のみ切断することによってデータ通信が可能である点も特徴である。
【発明の効果】
【０００８】
本発明による第１の効果は、予め設定されたＶｏＩＰ通話数を超えるＶｏＩＰ端末が通話を開始しようとした際にDis-Associationを送信し、無線ＬＡＮから切断しているので、予め設定されたＶｏＩＰ通話に関して音質を維持することが出来ることである。
【０００９】
第２の効果は、予め設定されたＶｏＩＰ通話数を超えるＶｏＩＰ端末が通話を開始しようとした際にDis-Associationを送信し、無線ＬＡＮから切断しているので、当該アクセスポイント以外にアクセスポイントが存在する場合には呼び出し中にハンドオフするため、ＶｏＩＰ通話中にハンドオフさせるやり方とは異なり、通話中の音切れが発生しないことである。
【００１０】
このようにして本発明では、アクセスポイントがＶｏＩＰ端末の通話数を制御することで特定の台数で高音質のＶｏＩＰ通話を行うことができる。
【発明を実施するための最良の形態】
【００１１】
次に、本発明の最良の形態について図面を参照して説明する。
【００１２】
無線ＬＡＮシステムでは、１つのアクセスポイント及びそのアクセスポイントと通信する端末によって構成されるシステムを基本サービスセットといい、基本サービスセットを相互に接続させる接続ネットワークのことをディストリビューションシステムと呼ぶ。
【００１３】
基本サービスセットにおいて、アクセスポイントの配下に端末が所属するための手続をアソシエーションという。その手続の結果として、そのアクセスポイントに所属する端末の管理リストができ、このリストがディストリビューションシステムに提供されることで、端末はアクセスポイントを介して他の端末やシステムと通信を行うことができる。また、アソシエーションを解放することをディスアソシエーションという。
【実施例１】
【００１４】
図１は、本発明を適用する無線ＬＡＮシステムの構成を示し、プログラム制御により動作する無線ＬＡＮアクセスポイント（ＡＰ）１００と、互いにＶｏＩＰ通話可能な（無線ＬＡＮに接続された）ＶｏＩＰ端末１０１と（有線ＬＡＮに接続された）ＶｏＩＰ端末１０２を含む。
【００１５】
ＡＰ１００は、無線ＬＡＮアクセスポイントであり、ＶｏＩＰ端末の通話数を制御することができる。ＶｏＩＰ端末１０１は、無線ＬＡＮクライアントとして機能するＶｏＩＰ端末であり、無線ＬＡＮにてＡＰ１００に接続される。ＶｏＩＰ端末１０２は、有線ＬＡＮのＶｏＩＰ端末であり、有線ＬＡＮ１０３を介してＡＰ１００と接続され、ＶｏＩＰ端末１０１とＶｏＩＰ通話を行うことができる。
【００１６】
図２は、第１の実施例のＡＰ１００の詳細構成を示す。ＡＰ１００は、ＲＯＭ２０１、ＣＰＵ２０２、ＲＡＭ２０３、無線ＬＡＮ部２０４、有線ＬＡＮ部２０５をそれぞれ有する。
【００１７】
ＲＯＭ２０１は、制御プログラムや各設定値を格納している。ＣＰＵ２０２は、その制御プログラムに基づいてＶｏＩＰ通話数制御などの演算処理を行う。ＲＡＭ２０３は、ＣＰＵ２０２のワークエリアとして制御プログラムの実行に伴うデータの一時的な保管を行う。無線ＬＡＮ部２０４は、ＩＥＥＥ８０２．１１に基づく機能を有し、ＶｏＩＰ端末１０１に無線で接続できる。有線ＬＡＮ部２０５は、ＩＥＥＥ８０２．３に基づく機能を有し、ＶｏＩＰ端末１０２に有線で接続できる。
【００１８】
次に、図３のフローチャートを参照して、本実施例の動作について説明する。本説明では、便宜上、ＶｏＩＰ通信を行う呼制御プロトコルとして、ＳＩＰ(Session Initiation Protocol)を対象に説明するが、Ｈ．３２３やＭＧＣＰ(Media Gateway Control Protocol)など他の呼制御プロトコルでも適用可能である。
【００１９】
まず、ＡＰ１００は、無線ＬＡＮに接続されたＶｏＩＰ端末（以下、無線ＬＡＮ・ＶｏＩＰ端末）１０１の全ての送受信パケットについて監視を行う（ステップＳ１）。
【００２０】
次に、そのパケットについて、予めＲＯＭ２０１に設定したビット列である、発着信コマンド（アクセスポイントが通信を開始するＶｏＩＰの発信コマンドや着信コマンド：ＳＩＰならＩＮＶＩＴＥ）と比較を行う（ステップＳ２）。ＲＯＭに設定するビット列は、プログラムに予め書かれていても良いが、工事担当者などが予め設定値を書き込んでも良い。
【００２１】
さらに、本判定の結果がＹＥＳ（ビット列がＩＮＶＩＴＥと一致）であった場合、そのパケットに含まれる無線ＬＡＮ・ＶｏＩＰ端末のＭＡＣアドレスが、ＲＡＭ２０３に存在するか否か確認する（ステップＳ３）。ここで、ＲＡＭにはＶｏＩＰ通信を行っている無線ＬＡＮ・ＶｏＩＰ端末のＭＡＣアドレスを格納するテーブルを有するものとする。
【００２２】
本判定の結果がＹＥＳであればスタートに戻り、ＮＯであれば、そのパケットに含まれる無線ＬＡＮ・ＶｏＩＰ端末のＭＡＣアドレスを前述のテーブルに格納する（ステップＳ４）。
【００２３】
次に、前述のテーブルに格納されたＭＡＣアドレスの数（＝ＶｏＩＰ通話数）が、予めＲＯＭに格納された限界閾値を超えたか否か判定を行う（ステップＳ５）。
【００２４】
ここで言う限界閾値とは、一つのアクセスポイントで同時にＶｏＩＰ通話可能な最大数である。ＲＯＭに設定する限界閾値は、プログラムに予め書かれていても良いが、工事担当者などが予め設定値を書き込んでも良い。
【００２５】
本判定の結果がＮＯであればスタートに戻り、ＹＥＳであれば、ＩＮＶＩＴＥを受信または送信を行った無線ＬＡＮ・ＶｏＩＰ端末に対してＩＥＥＥ８０２．１１で定められたDis-Association（アソシエーションの解放）パケットを無線ＬＡＮ部２０４から送信し、そのＶｏＩＰ端末を無線ＬＡＮから切断する（ステップＳ６）。
【００２６】
また、ステップＳ４でＲＡＭのテーブルに格納したＭＡＣアドレスは、Dis-Associationパケットを送信され無線ＬＡＮから切断されることでＶｏＩＰ通話が確立しないことから、そのテーブルから削除する。
【００２７】
なお、ステップＳ２の判定結果がＮＯであった場合には、そのパケットが予めＲＯＭに設定されたビット列である切断コマンド（ＢＹＥ）と比較を行う（ステップＳ７）。ＲＯＭに設定するビット列は、プログラムに予め書かれていても良いが、工事担当者などが予め設定値を書き込んでも良い。
【００２８】
本判定の結果がＮＯであればスタートに戻り、ＹＥＳであればＲＡＭに格納されているＶｏＩＰ端末のＭＡＣアドレスを削除する（ステップＳ８）。
【実施例２】
【００２９】
図４は、第２の実施例のＡＰ１００の詳細構成を示し、図５は、その動作を説明するフローチャートである。本実施例は、第１の実施例に比べＶｏＩＰ端末の通話ステータスを管理し、限界閾値（最大ＶｏＩＰ通話数）を超えた場合に、限界閾値を超えた通話を開始しようとするＶｏＩＰ端末だけでなく「通話終了」の通話ステータスを有するＶｏＩＰ端末（過去にＶｏＩＰ通話を行ったＶｏＩＰ端末であり、今後ＶｏＩＰ通話を開始する可能性がある）も無線ＬＡＮから切断する機能を有する点で異なる。
【００３０】
次に、図５のフローチャートを参照して、本実施例の動作について第１の実施例との差を説明する。
【００３１】
まず、ＡＰ１００は、無線ＬＡＮ・ＶｏＩＰ端末１０１の全ての送受信パケットについて監視を行う（ステップＳ１１）。
【００３２】
次に、そのパケットについて、予めＲＯＭ３０１に設定したビット列である、発着信コマンド（ＩＮＶＩＴＥ）と比較を行う（ステップＳ１２）。ＲＯＭに設定するビット列は、プログラムに予め書かれていても良いが、工事担当者などが予め設定値を書き込んでも良い。
【００３３】
さらに、本判定の結果がＹＥＳ（ビット列がＩＮＶＩＴＥと一致）であった場合、そのパケットに含まれる無線ＬＡＮ・ＶｏＩＰ端末のＭＡＣアドレスが、ＲＡＭ３０３に存在するか否か確認する（ステップＳ１３）。ここで、ＲＡＭにはＶｏＩＰ通信を行っている無線ＬＡＮ・ＶｏＩＰ端末のＭＡＣアドレスとそのＶｏＩＰ端末の通話ステータスを格納するテーブルを有するものとする。さらに通話ステータスは、各ＶｏＩＰ端末のＭＡＣアドレスと関連付けられており、「通話中」「通話終了」の通話ステータスを持ちうる。
【００３４】
本判定の結果がＹＥＳであれば、当該ＭＡＣアドレスに関連付けられている通話ステータスが「通話中」であるか否か確認する（ステップＳ１８）。
【００３５】
本判定の結果がＹＥＳであればスタートに戻り、ＮＯであれば、そのパケットに含まれる無線ＬＡＮ・ＶｏＩＰ端末のＭＡＣアドレスの通話ステータスを「通話中」に変更する（ステップＳ１５）。
【００３６】
ステップＳ１３の判定結果がＮＯであれば、そのパケットに含まれる無線ＬＡＮ・ＶｏＩＰ端末のＭＡＣアドレスを前述のテーブルに格納し（ステップＳ１４）、通話ステータスを「通話中」に設定する（ステップＳ１５）。
【００３７】
次に、前述のテーブルに格納された通話ステータスが「通話中」であるＭＡＣアドレスの数（＝ＶｏＩＰ通話数）が、予めＲＯＭに格納された限界閾値を超えたか否か判定を行う（ステップＳ１６）。
【００３８】
ここで言う限界閾値とは、一つのアクセスポイントで同時にＶｏＩＰ通話可能な最大数である。ＲＯＭに設定する限界閾値は、プログラムに予め書かれていても良いが、工事担当者などが予め設定値を書き込んでも良い。また、本限界閾値は第１の実施例と異なっても良く、限界閾値１で第１の実施例の動作を行い限界閾値２で第２の実施例の動作を行うといった２段階の制御をしても良い。
【００３９】
本判定の結果がＮＯであればスタートに戻り、ＹＥＳであれば、ＩＮＶＩＴＥを受信または送信を行った無線ＬＡＮ・ＶｏＩＰ端末および前述のテーブルに格納された通話ステータスが「通話終了」であるＭＡＣアドレスのＶｏＩＰ端末に対してＩＥＥＥ８０２．１１で定められたDis-Associationパケットを無線ＬＡＮ部３０４から送信し、そのＶｏＩＰ端末を無線ＬＡＮから切断する（ステップＳ１７）。
【００４０】
また、ステップＳ１７でDis-Associationパケットを送信され無線ＬＡＮから切断されたＶｏＩＰ端末のＲＡＭのテーブルに格納したＭＡＣアドレスに関連付けられた通話ステータスを「通話終了」に変更する。
【００４１】
なお、ステップＳ１２の判定結果がＮＯであった場合には、そのパケットが予めＲＯＭに設定されたビット列である切断コマンド（ＢＹＥ）と比較を行う（ステップＳ１９）。ＲＯＭに設定するビット列は、プログラムに予め書かれていても良いが、工事担当者などが予め設定値を書き込んでも良い。
【００４２】
本判定の結果がＮＯであればスタートに戻り、ＹＥＳであればＲＡＭに格納されているＶｏＩＰ端末のＭＡＣアドレスに関連付けられている通話ステータスが「通話中」であるか否か確認する（ステップＳ２０）。
【００４３】
本判定の結果がＮＯであればスタートに戻り、ＹＥＳであればそのパケットに含まれる無線ＬＡＮ・ＶｏＩＰ端末のＭＡＣアドレスの通話ステータスを「通話終了」に変更する（ステップＳ２１）。
【００４４】
第２の実施例は、ＶｏＩＰ端末の通話ステータスを管理し、限界閾値（最大ＶｏＩＰ通話数）を超えた場合に、限界閾値を超えた通話を開始しようとするＶｏＩＰ端末だけでなく、「通話終了」の通話ステータスを有するＶｏＩＰ端末も無線ＬＡＮから切断するので、新たなＶｏＩＰ通話が発生しないという新たな効果を有する。
【００４５】
また、ＶｏＩＰ端末ではない無線ＬＡＮに接続された端末は、本実施例では切断されないためデータ通信は可能であるという効果も有する。
【実施例３】
【００４６】
図６は、第３の実施例の動作を説明するフローチャートである。本実施例は、第２の実施例に加えてＶｏＩＰ通話数（通話中のＶｏＩＰ端末数）を監視し、第２の実施例で切断した通話終了のＶｏＩＰ端末のアクセスポイントへの接続を許可または拒否する機能を有する点で異なる。
【００４７】
次に、図６のフローチャートを参照して、本実施例の動作について第２の実施例との差を説明する。
【００４８】
まず、ＡＰ１００は、ＲＡＭ３０３のテーブルに格納された通話ステータスが「通話中」であるＭＡＣアドレスの数（＝ＶｏＩＰ通話数）が、予めＲＯＭに格納された限界閾値以上か否か判定を行う（ステップＳ３１）。
【００４９】
本判定の結果がＹＥＳであれば、ＲＡＭのテーブルに登録されているＭＡＣアドレスに関連付けられた通話ステータスが「通話終了」のＶｏＩＰ端末（第２の実施例で切断されたＶｏＩＰ端末）の無線ＬＡＮへの接続を拒否する（ステップＳ３２）。具体的な方法としては、そのＶｏＩＰ端末から送信されるＩＥＥＥ８０２．１１で定められたAssociation Requestを無視する。または、そのＶｏＩＰ端末から送信されるProbe Requestを無視しても良い。
【００５０】
本判定の結果がＮＯであれば、ＲＡＭのテーブルに登録されているＭＡＣアドレスに関連付けられた通話ステータスが「通話終了」のＶｏＩＰ端末の無線ＬＡＮへの接続を許可する（ステップＳ３３）。
【００５１】
第３の実施例は、第２の実施例で切断された通話終了のＶｏＩＰ端末が、ＶｏＩＰ通話数が限界閾値以上である間は、再度、同一アクセスポイントに接続されないという新たな効果を有する。
【産業上の利用可能性】
【００５２】
本発明は、ＩＥＥＥ８０２．１１による無線ＬＡＮシステムにおいて、音声通信（ＶｏＩＰ）や動画通信などのストリーミング通信を行う用途に適用できる。また、オンデマンドサービスなど、音楽や動画をインターネットから配信する用途についても適用可能である。さらに、ＩＥＥＥ８０２．１１以外の無線通信にも適用可能である。
【図面の簡単な説明】
【００５３】
【図１】本発明を適用する無線ＬＡＮシステムの構成図である。
【図２】実施例１の無線ＬＡＮアクセスポイントの詳細構成図である。
【図３】実施例１の動作について説明するフローチャートである。
【図４】実施例２の無線ＬＡＮアクセスポイントの詳細構成図である。
【図５】実施例２の動作について説明するフローチャートである。
【図６】実施例３の動作について説明するフローチャートである。
【符号の説明】
【００５４】
１００  無線ＬＡＮアクセスポイント（ＡＰ）
１０１  （無線ＬＡＮ）ＶｏＩＰ端末
１０２  （有線ＬＡＮ）ＶｏＩＰ端末
１０３  有線ＬＡＮ
【図１】
2008005298.tif 000003
【図２】
2008005298.tif 000004
【図３】
2008005298.tif 000005
【図４】
2008005298.tif 000006
【図５】
2008005298.tif 000007
【図６】
2008005298.tif 000008